(57)【特許請求の範囲】
【請求項１】
凸状のレンズ前面と凹状のレンズ後面とを有すると共に、レンズ上端部からレンズ下端部にかけて徐々に肉厚が増加するプリズムバラスト構造を有するトーリックコンタクトレンズにおいて、
前記レンズ前面に、屈折度数を決定する中央光学領域と、前記中央光学領域を包囲する円環状の移行領域と、前記移行領域を包囲する円環状の周辺領域とが画定されると共に、
前記レンズ前面の形状が、前記レンズ上端部からレンズ中点を通り前記レンズ下端部に至る垂直経線を境界とする鏡像対称性を有し、
前記レンズ前面のレンズ中点より下側に、レンズ肉厚が最大となる２箇所の最大肉厚部が配され、
前記２箇所の最大肉厚部の間にて滑らかに肉厚が減少する谷状の凹みが前記レンズ下端部にかけて形成され、かつ、
前記谷状の凹みにおける水平方向の幅は、前記レンズ下端部に向けて狭まる
ことを特徴とするトーリックコンタクトレンズ。
【請求項２】
前記２箇所の最大肉厚部からそれぞれレンズ下端部にかけてレンズの円周方向に測った角度が１５°〜３５°の範囲にあることを特徴とする請求項１に記載のトーリックコンタクトレンズ。
【請求項３】
前記最大肉厚部からレンズ下端部にかけて減少する肉厚の変化がＣｏｓ関数により規定されていることを特徴とする請求項１または２に記載のトーリックコンタクトレンズ。
【請求項４】
前記レンズ前面の中心軸線が前記レンズ後面の中心軸線に対し下方にオフセットされることで、前記プリズムバラスト構造が形成されていることを特徴とする請求項１〜３のいずれか１項に記載のトーリックコンタクトレンズ。
【請求項５】
前記中央光学領域がバイフォーカルまたはマルチフォーカルに設計されていることを特徴とする請求項１〜４のいずれか１項に記載のトーリックコンタクトレンズ。
【請求項６】
ハイドロゲルまたはシリコーンハイドロゲルをレンズ素材として用いたことを特徴とする請求項１〜５のいずれか１項に記載のトーリックコンタクトレンズ。
【請求項７】
前記最大肉厚部の肉厚と前記レンズ上端部の肉厚は、最大肉厚部の肉厚：レンズ上端部の肉厚＝２．２７〜２．５４：１の関係を満たすことを特徴とする請求項１に記載のトーリックコンタクトレンズ。
【請求項８】
前記最大肉厚部の肉厚と前記レンズ下端部の肉厚は、最大肉厚部の肉厚：レンズ下端部の肉厚＝１〜１．２７：１の関係を満たすことを特徴とする請求項１に記載のトーリックコンタクトレンズ。
【請求項９】
前記最大肉厚部の肉厚は０．２５〜０．３２ｍｍであり、前記レンズ下端部の肉厚は０．１７〜０．３０ｍｍであることを特徴とする請求項８に記載のトーリックコンタクトレンズ。
【請求項１０】
前記レンズ上端部の肉厚と前記レンズ下端部の肉厚は、レンズ上端部の肉厚：レンズ下端部の肉厚＝１〜２．２７：１の関係を満たすことを特徴とする請求項１に記載のトーリックコンタクトレンズ。
【請求項１１】
前記谷状の凹みは、前記周辺領域において、前記レンズ下端部から前記レンズ中点に向けて滑らかに肉厚が減少する部分を有することを特徴とする請求項１に記載のトーリックコンタクトレンズ。
【請求項１２】
凸状のレンズ前面と凹状のレンズ後面とを有すると共に、レンズ上端部からレンズ下端部にかけて徐々に肉厚が増加するプリズムバラスト構造を有するトーリックコンタクトレンズの製造方法において、
前記レンズ前面に、屈折度数を決定する中央光学領域と、前期中央光学領域を包囲する円環状の移行領域と、前記移行領域を包囲する円環状の周辺領域とを画定すると共に、
前記レンズ前面の形状に、前記レンズ上端部からレンズ中点を通り前記レンズ下端部に至る垂直経線を境界とする鏡像対称性を持たせ、
また、前記レンズ前面のレンズ中点より下側に、レンズ肉厚が最大となる２箇所の最大肉厚部を配すると共に、
前記２箇所の最大肉厚部の間にて滑らかに肉厚が減少する谷状の凹みを前記レンズ下端部にかけて形成し、かつ、
前記谷状の凹みにおける水平方向の幅を、前記レンズ下端部に向けて狭める
ことを特徴とするトーリックコンタクトレンズの製造方法。
【請求項１３】
前記最大肉厚部の肉厚と前記レンズ上端部の肉厚は、最大肉厚部の肉厚：レンズ上端部の肉厚＝２．２７〜２．５４：１の関係を満たすことを特徴とする請求項１２に記載のトーリックコンタクトレンズの製造方法。
【請求項１４】
前記最大肉厚部の肉厚と前記レンズ下端部の肉厚は、最大肉厚部の肉厚：レンズ下端部の肉厚＝１〜１．２７：１の関係を満たすことを特徴とする請求項１２に記載のトーリックコンタクトレンズの製造方法。
【請求項１５】
前記最大肉厚部の肉厚は０．２５〜０．３２ｍｍであり、前記レンズ下端部の肉厚は０．１７〜０．３０ｍｍであることを特徴とする請求項１４に記載のトーリックコンタクトレンズの製造方法。
【請求項１６】
前記レンズ上端部の肉厚と前記レンズ下端部の肉厚は、レンズ上端部の肉厚：レンズ下端部の肉厚＝１〜２．２７：１の関係を満たすことを特徴とする請求項１２に記載のトーリックコンタクトレンズの製造方法。
【請求項１７】
前記谷状の凹みは、前記周辺領域において、前記レンズ下端部から前記レンズ中点に向けて滑らかに肉厚が減少する部分を有することを特徴とする請求項１２に記載のトーリックコンタクトレンズの製造方法。
【発明の詳細な説明】
【技術分野】
【０００１】
本発明は、乱視矯正用のトーリックコンタクトレンズに係り、特に、装用時における角膜上でのレンズの方向性の安定化（回転防止）を図ったトーリックコンタクトレンズ及びその製造方法に関する。
【背景技術】
【０００２】
乱視は通常、角膜または水晶体形状がきれいな球面でない場合に、眼の縦（垂直方向）と横（水平方向）の曲率半径が異なることにより、外界の一点から出た光が眼内で一点に収束しない状態であり、乱視を矯正するためのソフトコンタクトレンズとして、トーリックコンタクトレンズが広く知られている。
【０００３】
乱視の性質上、トーリックコンタクトレンズは、眼球に対して常に決められた向きに装用される必要がある。即ち、レンズの頂部（上端部）として意図した部分が、装用者の眼の頂部（上端部）に常に位置するようになっていなければならない。例えば、装用時にコンタクトレンズが瞬き（眼瞼を閉じる動作）によって回転し、トーリックコンタクトレンズの乱視軸がずれると、視力が不安定になりやすい。そこで、トーリックコンタクトレンズの回転防止または軸の安定化を図るための方法が採り入れられている。その方法の一例として、プリズムバラスト法やスラブオフ法と呼ばれるものがある。
【０００４】
プリズムバラスト法を採り入れた一例として、特許文献１には、プリズムバラストを、垂直経線に平行な上下線に沿って厚さが下に行くほど増大するように形成することで設定したものが示されている。この例では、垂直経線に垂直な水平方向で厚さが実質的に一様になるように形成してあり、これらの構成の採用により、レンズの回転防止と装用感の向上を狙っている。また、スラブオフ法を採り入れた一例として、特許文献２には、レンズの周辺部に平坦部分を設けると共に、レンズの中点を通る水平軸に対して鏡像対称性を持たせ、水平軸に直交する垂直軸の部分を最も薄肉となし、この垂直軸から両側へ平坦部分に沿って徐々に肉厚となるように形成し、水平軸の部分が最大肉厚部となるように設定して、それにより動的安定を図ったトーリックコンタクトレンズが示されている。
【先行技術文献】
【特許文献】
【０００５】
【特許文献１】特表２００４−５０６９２５号公報
【特許文献２】実開昭５０−１３３１５１号公報
【発明の概要】
【発明が解決しようとする課題】
【０００６】
ところで、上記特許文献１に開示されたトーリックコンタクトレンズでは、プリズムバラスト機構を採用しているために外側のゾーンでレンズ上端から下端にかけて肉厚が厚くなり、内側ゾーンの下端部から下側エッジにかけての肉厚差が顕著になる。トーリックコンタクトレンズの下端部の肉厚が厚いほど、角膜下部が隆起している人が装着した場合に、瞬き毎にレンズに回転が起きやすく、レンズの向きが不安定になり、良好な軸安定性を得難くなって、装用感も充分に満足できなくなる。また、上記特許文献２に開示されたトーリックコンタクトレンズでは、装用感の良さは得られるものの、レンズの重心が幾何学的中心に存在するため、瞬き毎に角膜上で回転するなどして、軸安定性に欠けやすくなる。
【０００７】
本発明は、上記事情に鑑みてなされたもので、良好な軸安定性と装用感が得られるトー
リックコンタクトレンズ及びその製造方法を提供することを目的とする。
【課題を解決するための手段】
【０００８】
本発明者らは、軸安定性と装用感を両立させる方法について鋭意検討した結果、鏡像対称性を有するレンズ前面に２箇所の最大肉厚部を形成し、それら２箇所の最大肉厚部からレンズ下端部にかけて滑らかに肉厚を減少させて、これらの最大肉厚部の間に谷状の凹みを形成することにより、軸安定性が効果的に発揮されつつ良好な装用感が得られることを見出した。
【０００９】
上記課題を解決するために、本発明は以下の構成を備える。
即ち、この発明に従うトーリックコンタクトレンズは、凸状のレンズ前面と凹状のレンズ後面とを有すると共に、レンズ上端部からレンズ下端部にかけて徐々に肉厚が増加するプリズムバラスト構造を有するトーリックコンタクトレンズであって、レンズ前面に、屈折度数を決定する中央光学領域と、該中央光学領域を包囲する円環状の移行領域と、該移行領域を包囲する円環状の周辺領域とが画定されると共に、レンズ前面の形状が、レンズ上端部からレンズ中点を通りレンズ下端部に至る垂直経線を境界とする鏡像対称性を有し、レンズ前面のレンズ中点より下側に、レンズ肉厚が最大となる2箇所の最大肉厚部が配
され、これら最大肉厚部からレンズ下端部にかけて滑らかに肉厚が減少しており、それにより、２箇所の最大肉厚部の間に谷状の凹みが形成されている。
【００１０】
好ましくは、この発明に従うトーリックコンタクトレンズは、２箇所の最大肉厚部からそれぞれレンズ下端部にかけてレンズの円周方向に測った角度が１５°〜３５°の範囲にあるのがよい。また、好ましくは、前記最大肉厚部からレンズ下端部にかけて減少する肉厚の変化がＣｏｓ関数により規定されているのがよい。さらに、好ましくは、レンズ前面の中心軸線がレンズ後面の中心軸線に対し下方にオフセットされることで、プリズムバラスト構造が形成されているのがよい。
【００１１】
好ましくは、中央光学領域がバイフォーカルまたはマルチフォーカルに設計されたトーリックコンタクトレンズであるのがよい。また、好ましくは、トーリックコンタクトレンズがハイドロゲル素材またはシリコーンハイドロゲル素材のトーリックコンタクトレンズであるのがよい。
【発明の効果】
【００１２】
本発明によれば、鏡像対称性を有するレンズ前面に２箇所の最大肉厚部を配し、それら２箇所の最大肉厚部からレンズ下端部にかけて滑らかに肉厚を減少させ、これらの最大肉厚部の間には谷状の凹みが形成される。この結果、装用者の角膜形状に起因する軸安定性の影響を低減され、トーリックコンタクトレンズの軸の安定性の向上を図ることができる。また、レンズ下端部に谷状の凹みが形成されることにより、良好な装用感も得られる。
【図面の簡単な説明】
【００１３】
【図１】本発明の実施形態のトーリックコンタクトレンズの構成を示す正面図である。
【図２】同コンタクトレンズのレンズ前面とレンズ後面の中心軸線のズレを示す図で、（ａ）はレンズを正面から見た場合のレンズ前面の中央光学領域とレンズ後面の中央光学領域のズレを示す図、（ｂ）は同コンタクトレンズの垂直経線に沿った断面図である。
【図３】同コンタクトレンズにおける所定の角経線上の断面プロフィールを説明するための図で、（ａ）は該当箇所を示すためのレンズの正面図、（ｂ）は（ａ）に示した各角経線上での断面プロフィールを示す図である。
【図４】同コンタクトレンズの厚みの定義の仕方を示す断面図である。
【図５】同コンタクトレンズの円周Ａ上での肉厚分布を説明するための図で、（ａ）は点Ｐ１から点Ｐ２にかけてＣｏｓ関数に基づき肉厚を増加させた場合の肉厚分布図、（ｂ）は点Ｐ１から点Ｐ２にかけて１次関数に基づき肉厚を増加させた場合の肉厚分布図、（ｃ）は点Ｐ１から点Ｐ２にかけて２次関数に基づき肉厚を増加させた場合の肉厚分布図、（ｄ）は点Ｐ１から点Ｐ２にかけてルート関数に基づき肉厚を増加させた場合の肉厚分布図である。
【図６】同コンタクトレンズのレンズ下端部の肉厚について説明するための図で、（ａ）はレンズ下端部付近を正面から見た模式図、（ｂ）は（ａ）図におけるＴＨ１〜ＴＨ４の各線に沿った断面での肉厚変化を示す図である。
【図７】レンズ下部の最大肉厚部の展開角度の違いについてテストした結果を示す図である。
【図８】レンズ下端部の肉厚の違いについてテストした結果を示す図である。
【図９】レンズ下端部の肉厚形状の違いについてテストした結果を示す図である。
【発明を実施するための形態】
【００１４】
この発明の上述の目的，特徴および利点は、図面を参照して行う以下の実施例の詳細な説明から一層明らかとなろう。以下、本発明の実施形態について図面を参照しながら説明する。
【００１５】
図１と図２（ａ）及び（ｂ）に示すように、このトーリックコンタクトレンズ１０は、凹状のレンズ後面（ベースカーブとも言う）１２と凸状のレンズ前面（フロントカーブとも言う）１４とによって形成される。ベースカーブ１２およびフロントカーブ１４が交わる（接合する）箇所には、エッジ１６が設けられている。なお、このトーリックコンタクトレンズ１０のパラメータには、近視度数：−３．００Ｄ、乱視度数：−０．５０Ｄおよび軸：１８０°が割り当てられる。
【００１６】
ベースカーブ１２は、装用者の角膜形状に対応した多段階カーブを有する回転対称形で形成される。つまり、ベースカーブ１２の形状はどの角経線で切っても同一形状（同心円形状）である。
【００１７】
ここで、経線とは、レンズ面（ベースカーブ１２またはフロントカーブ１４）とレンズ中心軸線を含む平面との交差線を意味し、経線の種類には、垂直経線１８、水平経線２０、および角経線２２がある。垂直経線１８とは、レンズ上端部２４及びレンズ下端部２６を通る経線、水平経線２０とは、垂直経線１８に直交する経線、そして角経線２２とは、レンズ中点Ｏの周りの任意の角度の経線（つまり、レンズ中点Ｏからエッジ１６へ向かってレンズの半径方向に沿うように放射状に延びる線）のことである。なお、角経線２２については後で詳しく説明する。
【００１８】
フロントカーブ１４は、レンズ上端部２４からレンズ中点Ｏを通りレンズ下端部２６に至る垂直経線１８を境界とする鏡像対称性を有している。つまり、レンズ中点Ｏを通る垂直経線１８の右半分と左半分とは同一形状である。このため、左右の眼に区別なく使用することが可能となる。
【００１９】
フロントカーブ１４には、トーリックコンタクトレンズ１０の屈折度数を規定する中央光学領域２８と、該中央光学領域２８を包囲する円環状の移行領域３０と、該移行領域３０を包囲するレンズ最外周領域である円環状の周辺領域３２とが画定されている。周辺領域３２の外周側には、ベースカーブ１２およびフロントカーブ１４が交わるエッジ１６が設けられている。
【００２０】
フロントカーブ１４の中央光学領域２８は、トーリック面として形成される。即ち、乱視を矯正するために、直交する２つの経線方向において曲率半径が異なるように曲面（ト
ーリック面）が形成されている。
【００２１】
なお、中央光学領域２８をトーリック面として形成した場合を、ここにおいても、また後述する実施例においても示しているが、中央光学領域２８は、視力矯正目的であれば、どのような形状に設定することも可能であり、例えば、二焦点（バイフォーカル）や多焦点（マルチフォーカル）に設定することも可能である。
【００２２】
移行領域３０は、楕円形状の中央光学領域２８と円環状の周辺領域３２とを、それらの間の緩衝領域として最短距離で結んでおり、この移行領域３０があることによって、装用時に触れるレンズと上下眼瞼との間の余計な摩擦を低減して装用感の向上を図っている。
【００２３】
このトーリックコンタクトレンズ１０はプリズムバラスト機構を有する。具体的には、図２（ａ）及び（ｂ）に示すように、フロントカーブ１４の中央光学領域２８（実線）の中心軸線Ｌ１が、ベースカーブ１２の中央光学領域３４（点線）の中心軸線Ｌ２に対して下方にオフセットさせられていることにより、レンズ上端部２４からレンズ下端部２６にかけて徐々に肉厚が増加するプリズムバラスト構造が形成されている。この結果、レンズ下部が上部よりも厚くなって偏心することで、レンズの回転防止が図られる。なお、トーリックコンタクトレンズ１０の近視度数は、中央光学領域２８の曲率Ｒ１と中央光学領域３４の曲率Ｒ２とによって定まる。
【００２４】
以下の説明において使用するトーリックコンタクトレンズ１０の角度位置は、図３（ａ）に示すように、レンズ上端部２４を９０°の位置、レンズ下端部２６を２７０°の位置、水平経線２０の方向のうち鼻側を０°の位置、反対側（耳側）を１８０°の位置と定義する。
【００２５】
図３（ｂ）を参照して、レンズ中点Ｏから角経線２２毎に区切ってレンズ断面プロフィールを見てみると、移行領域３０から周辺領域３２までの間で肉厚Ｓが最大となっている。具体的には、２５０°の位置では、エッジ１６から周辺領域３２にかけてベースカーブ１２とフロントカーブ１４との距離が離れることで肉厚が厚くなっている。換言すると、角経線２２の各々の断面を見ると、周辺領域３２と移行領域３０が接する点αから中央光学領域２８と移行領域３０とが接する点βまでの範囲に最大肉厚箇所が設けられている。
【００２６】
また、点αはいずれの角度においてもエッジ１６から所定の距離に位置する。一方、点βは中央光学領域２８の形状に応じて角度毎に変化する。具体的には、軸１８０度が割り当てられたトーリックコンタクトレンズ１０の場合、点αおよび点βとの距離は、９０°位置（Ｐ１）および２７０°位置（Ｐ３）のときに最大となり、０°位置および１８０°位置のときに最小となる。こうして、移行領域３０は緩衝領域としての機能を果たす。
【００２７】
さらに、このトーリックコンタクトレンズ１０は、鏡像対称性を有するため、９０°から左回り（反時計回り）に２７０°までと、９０°から右回り（時計回り）に２７０°までの肉厚分布は、角経線２２毎に同一である。つまり、レンズ中点Ｏから角経線２２の各々を放射状に切り分けると、断面形状は左右同じである。具体的には、０°と１８０°とは同一であり、２５０°と２９０°とは同一である。
【００２８】
ここで、図４を参照して肉厚の定義の仕方について述べると、レンズの肉厚Ｓは、ベースカーブ１２上の任意の点から、この任意の点に対する接線に直交する垂線がフロントカーブ１４と交わる点までの距離として定義している。中央光学領域２８での肉厚Ｓは視力矯正のために度数に応じて規定される一方、中央光学領域２８を除く移行領域３０および周辺領域３２における肉厚Ｓは所望の値に変更することができる。
【００２９】
図５（ａ）に示すように、移行領域３０と周辺領域３２の境界線である円周Ａ上の肉厚は、規定された角度で区分されるエリア毎に異なる。具体的には、肉厚は、点Ｐ１（９０°）から点Ｐ２（２５０°）にかけてＣｏｓ関数で増加し、点Ｐ２（２５０°）から点Ｐ３（２７０°）にかけてＣｏｓ関数で減少する。つまり、２５０°の位置で区切られた箇所の肉厚が最大となる。
【００３０】
鏡像対称性を有するトーリックコンタクトレンズ１０では、点Ｐ１（９０°）から右回りに０°を経て点Ｐ２’（２９０°）まで徐々に肉厚が増加し、点Ｐ２’（２９０°）から点Ｐ３（２７０°）まで徐々に肉厚が減少している。つまり、トーリックコンタクトレンズ１０を角経線２２毎に区切ると、２５０°および２９０°で区切られた箇所の肉厚が最大となる。ここで、２５０°位置での最大肉厚箇所は最大肉厚部３６、そして２９０°位置での最大肉厚箇所は最大肉厚部３８と称する。
【００３１】
なお、図５（ａ）では、点Ｐ１から点Ｐ２にかけて肉厚はＣｏｓ関数で増加すると説明したが、点Ｐ１から点Ｐ２にかけて肉厚は増加すればどのような形状でも採用が可能であり、例えば、図５（ｂ）に示すような１次関数、図５（ｃ）に示すような２関数、そして図５（ｄ）に示すようなルート関数を採用することも可能である。
【００３２】
図５（ａ）に戻って、点Ｐ２（２５０°）から点Ｐ３（２７０°）まで反時計回りに、また、点Ｐ２’（２９０°）から点Ｐ３（２７０°）まで時計回りに肉厚が減少する。これにより、レンズ中点Ｏから角経線２２に沿って反時計回りに２５０°から２９０°で区切られた範囲にスラブオフ４０（図１に示す斜線部）が形成される。スラブオフ４０において、２５０°から反時計回りに２７０°(２９０°から時計回りに２７０°)までの肉厚がＣｏｓ関数で減少することにより、点Ｐ３は最大肉厚部３６および最大肉厚部３８に挟まれた谷状に凹む。この結果、角膜下部が隆起していても、トーリックコンタクトレンズ１０がなじむようになり、レンズが角膜に良好にフィットして良好な装用感が得られる。
【００３３】
図６（ｂ）中に示す肉厚変化曲線ＴＨ１〜ＴＨ４は、図6（ａ）に示すように、スラブ
オフ４０を水平経線２０（図1参照）と平行に等間隔に区切った際の各切断線ＴＨ１〜Ｔ
Ｈ４毎の断面を示している。このように、切断線毎の肉厚ＴＨ１〜ＴＨ４は、いずれも端部から中央部にかけていったん盛り上がった後に盛り下がっている。換言すると、レンズ上端部２４から左右の最大肉厚部３６及び最大肉厚部３８にかけて角経線２２毎に肉厚が厚くなり、これら最大肉厚部３６及び最大肉厚部３８からレンズ下端部２６にかけて角経線２２毎に肉厚が薄くなるため、谷状の断面形状を呈し、肉厚がＴＨ１〜ＴＨ４のように中央付近（２７０°位置）が凹んだ分布となる。このようにして、スラブオフ４０の谷間Ｖが形成される。
【００３４】
谷間Ｖは、２５０°の位置にある最大肉厚部３６と２９０°の位置にある最大肉厚部３８間の間隔を示す。角膜下部が窪んでいたとしても、所望する軸はぶれにくくなるものと推察される。なお、谷間Ｖについては、３〜７ｍｍの長さが好ましく、また、４．５〜６．５ｍｍの長さであればより好ましい。３ｍｍを下回ると、角膜と上下瞼とで契合する領域が狭くなるため、瞬きする際、スラブオフ４０と最大肉厚部３６および最大肉厚部３８とならびに上下瞼および角膜で生じる摩擦が効果的に発揮されず、この結果、軸のズレ量が増加する。一方、７ｍｍを上回ると、角膜と上下瞼とで契合する領域が広がってしまい、瞬きする際、スラブオフ４０と最大肉厚部３６および最大肉厚部３８とならびに上下瞼および角膜で生じる摩擦が効果的に発揮されず、この結果、軸のズレ量が増加する。
【００３５】
図１に戻って、２５０°及び２９０°の位置は、レンズ下端部２６（２７０°の位置）からレンズの円周方向に角度を測った際に±２０°に開く展開角となる。スラブオフ４０の展開角が±２０°であるため、軸安定性と装用感とのバランスが保たれる。本実施形態
では、２７０°（レンズ下端部２６）から±２０°箇所を最大肉厚部３６および最大肉厚部３８が設けられた位置として説明したが、２７０°から±１５°〜３５°の範囲である２２５°〜２５５°（−１５°〜−３５°）の位置と２８５°〜３０５°（下端部から＋１５°〜＋３５°）の位置とが実用可能範囲である。
【００３６】
つまり、スラブオフ４０の展開角が広がった±４０°（２３０°〜３１０°）より大きいとき、角膜下部とフィットする領域が広がるため、瞬き毎に軸がブレやすくなり、軸安定性に欠ける。一方、スラブオフ４０の展開角が狭まった±１０°（２６０°〜２８０°）未満のとき、角膜下部とフィットし難くなり、軸安定性が低下する。
【００３７】
なお、点Ｐ２から点Ｐ３にかけて肉厚はＣｏｓ関数で減少すると説明したが、点Ｐ２から点Ｐ３にかけて肉厚が、例えば、１次関数で減少すると、後述するスラブオフ４０での形状がより弛みやすくなるため、軸安定性を損なう。
【００３８】
円周Ａ上の９０°位置での肉厚は、円周Ａ上の２５０°位置での肉厚（最大肉厚部３６）および円周Ａ上の２９０°位置での肉厚（最大肉厚部３８）に対して、「最大肉厚部の肉厚：レンズ上端部の肉厚＝２．２７〜２．５４：１」の関係に設定されるのが好ましい。この範囲を外れると、装用感および軸安定性が低下する。
【００３９】
また、円周Ａ上の２７０°位置での肉厚は、円周Ａ上の２５０°位置での肉厚（最大肉厚部３６）および円周Ａ上の２９０°位置での肉厚（最大肉厚部３８）に対して、「最大肉厚部の肉厚：レンズ下端部の肉厚＝１〜１．２７：１」の関係に設定されるのが好ましい。この範囲を外れると、装用感および軸安定性が低下する。
【００４０】
さらに、円周Ａ上の９０°位置での肉厚は、円周Ａ上の２７０°位置での肉厚に対して、「レンズ上端部の肉厚：レンズ下端部の肉厚＝１〜２．２７：１」の関係に設定されるのが好ましい。この範囲を外れると、装用感および軸安定性が低下する。
【００４１】
なお、ベースカーブ１２およびフロントカーブ１４の各中心軸が一致していてもよい。
【００４２】
また、トーリックコンタクトレンズ１０を製造する際に使用するコンタクトレンズ基材としては、重合後にコンタクトレンズ形状を保持し、ハイドロゲルとなりうる重合体、好ましくは、シリコーンを含有し、ハイドロゲルとなりうる共重合体であればよく、従来からソフトコンタクトレンズ用基材として知られているもの（シリコーンハイドロゲル材料）をそのまま用いることができる。さらに、トーリックコンタクトレンズ１０は、キャストモールド製法により重合されるが、このときのモールド型の材質としては、モノマー混合液に対して耐性を有するものであればいかなるものでもよく、例えば、ポリプロピレンが挙げられる。
【実施例】
【００４３】
以下、実施例のトーリックコンタクトレンズを装用した９つの試験について具体的に説明する。表１には、実施例１〜４および比較例１〜５の特徴を示し、表２には、実施例１〜４および比較例１〜５にて使用されたトーリックコンタクトレンズの各々に共通するパラメータを示す。
【００４４】
【表１】
0005448789.tif 000002
【００４５】
【表２】
0005448789.tif 000003
【００４６】
実施例１〜４のトーリックコンタクトレンズは、実施形態のコンタクトレンズ１０と同様に、レンズ下端部である２７０°の位置に谷状の凹みが存在するものである。つまり、左右両側の最大肉厚部３６および最大肉厚部３８から２７０°のレンズ下端部２６にかけて肉厚が徐々に減少している。
【００４７】
実施例１は、上述した実施形態のトーリックコンタクトレンズ１０に相当するものである。また、実施例２は、実施例１のトーリックコンタクトレンズ１０を基に、スラブオフ４０の展開角度を±３０°に設計したトーリックコンタクトレンズである。さらに、実施例３は、実施例１のトーリックコンタクトレンズ１０を基に、２７０°位置の肉厚を実施例１よりも薄くなるように設計したトーリックコンタクトレンズである。さらにまた、実施例４は、実施例１のトーリックコンタクトレンズ１０を基に、２７０°位置の肉厚を実施例３よりも薄くなるように設計したトーリックコンタクトレンズである。
【００４８】
一方、比較例１のトーリックコンタクトレンズは、いわゆる従来のプリズムバラスト機構を備えたトーリックコンタクトレンズであり、最大肉厚箇所がレンズ下端部２６である２７０°に存在し、レンズ上端部２４からレンズ下端部２６にかけて徐々に肉厚が厚くなる。また、比較例２は、実施例１のトーリックコンタクトレンズ１０を基に、スラブオフ４０の展開角度を±１０°に設計したトーリックコンタクトレンズであり、左右両方の最大肉厚箇所の谷間Ｖは実施例１〜４に比べ狭い。さらに、比較例３は、実施例１のトーリックコンタクトレンズ１０を基に、スラブオフ４０の展開角度を±４０°に設計したトーリックコンタクトレンズであり、左右両方の最大肉厚箇所の谷間Ｖは実施例１〜４に比べ広い。さらにまた、比較例４は、実施例１のトーリックコンタクトレンズ１０を基に、スラブオフ４０の展開角度を±４０°とし、最大肉厚箇所を２５０°位置から２９０°位置
にかけて同一肉厚となるように設計したトーリックコンタクトレンズである。また、比較例５のトーリックコンタクトレンズは、最大肉厚部３６から最大肉厚部３８までが連続した一定の肉厚である。
【００４９】
装用テストは、年代の違う被験者５名の右目に対して行った。装用後１５分経過及び３０分経過した時点での軸位置を確認し、この結果を表（ａ）に示す。なお、表３の（ｂ）は表３の（ａ）中に示された記号の説明である。
【００５０】
【表３】
0005448789.tif 000004
【００５１】
ここで、最大肉厚部３６および最大肉厚部３８と、スラブオフ４０の展開角度とが軸安定性に与える影響について確認すると、表４と、スラブオフ４０の展開角度毎に区分したグラフである図７とに示すように、スラブオフ４０の下部展開角度が±２０°〜±３０°
付近の場合に軸安定性の優位性が顕著に得られることが分かった。
【００５２】
【表４】
0005448789.tif 000005
【００５３】
また、レンズ下端部２６付近の肉厚が軸安定性に与える影響について確認すると、表５および図８に示すように、２７０°の位置での肉厚が薄くなるほど、角膜や上下瞼によって生じる摩擦に起因する形状になじみやすくなるため、軸安定性が向上するものと考えられる。
【００５４】
【表５】
0005448789.tif 000006
【００５５】
さらに、スラブオフ４０でのスムージング（肉厚減少度合い）が軸安定性に与える影響について確認すると、表６および図９に示すように、Ｃｏｓ関数で減少する形状の方が１次関数で減少する形状に比べ軸安定性が良好である。これは、Ｐ２（２５０°，２９０°）からＰ３（２７０°）にかけて１次関数で肉厚を減少させると、スラブオフ４０が弛みやすくなるため軸安定性が低下するものと考えられる。
【００５６】
【表６】
0005448789.tif 000007
【００５７】
以上の結果をまとめると、下部展開角度の頂点に位置する最大肉厚箇所が±２０°〜±３０°のときに軸安定性の効果が顕著に発揮（好ましくは±２０°）され、２７０°の位置では薄肉化されたときに軸安定性の効果が顕著に発揮される。フロントカーブ１４に、鏡像対称性を有するレンズ前面に配された２箇所の最大肉厚部３６および最大肉厚部３８からレンズ下端部２６にかけて滑らかに肉厚が減少し、これらの最大肉厚部３６および最大肉厚部３８の間に谷状のスラブオフ４０が形成される。この結果、装用者の角膜形状に起因する軸安定性の影響が低減される。これによって、トーリックコンタクトレンズの軸の安定性を確保することができる。また、レンズ下端部２６に谷状の凹みが形成されることにより、角膜下部が隆起していても、トーリックコンタクトレンズ１０がなじむように
なり、レンズが角膜に良好にフィットして良好な装用感が得られる。要するに、実施例１〜４のトーリックコンタクトレンズは、比較例１〜５のトーリックコンタクトレンズに比べ優れていることが明らかとなった。
【符号の説明】
【００５８】
１０  トーリックコンタクトレンズ
１２  レンズ後面（ベースカーブ）
１４  レンズ前面（フロントカーブ）
１６  エッジ
１８  垂直経線
２０  水平経線
２２  角経線
２４  レンズ上端部
２６  レンズ下端部
２８，３４  中央光学領域
３０  移行領域
３２  周辺領域
３６，３８  最大肉厚部
４０  スラブオフ
Ａ  境界線（円周）
Ｏ  レンズ中点
Ｌ１  レンズ前面の中心軸線
Ｌ２  レンズ後面の中心軸線
Ｖ  谷間
Ｓ  肉厚
【図１】
0005448789.tif 000008
【図２】
0005448789.tif 000009
【図３】
0005448789.tif 000010
【図４】
0005448789.tif 000011
【図５】
0005448789.tif 000012
【図６】
0005448789.tif 000013
【図７】
0005448789.tif 000014
【図８】
0005448789.tif 000015
【図９】
0005448789.tif 000016